(57)【要約】【課題】所望の記録画像や撮影像のオープニング画像等の特定時表示画像として表示する画像再生方法およびカメラ装置の提供。【解決手段】ユーザ登録のオープニング画像が登録されている場合にはその表示を優先する。まず、ユーザがカメラを起動すると（Ｖ０）、ユーザ登録のオープニング画像があるか否かを調べ（Ｖ１）、ユーザ登録のオープニング画像がある場合にはその画像データ（ユーザ登録オープニング画像）を画像記録用メモリから取り出して再生し表示部７に一定時間表示する。そして、一定時間が過ぎるとオープニング画像表示を終了する（Ｖ２）、ユーザ登録のオープニング画像がない場合にはメーカ登録のオープニング画像データ（メーカ登録オープニング画像）を取り出して再生し表示部７に一定時間表示する。そして、一定時間が過ぎるとオープニング画像表示を終了する（Ｖ３）。【選択図】　　　図１
2004032801.tif 000002
【特許請求の範囲】
【請求項１】
撮像部で撮像された撮影画像を複数記録するメモリと、再生した記録画像を表示する表示部を備えたカメラにおいて、
前記カメラの起動から起動終了に至る動作のうちの特定動作時に表示する特定時表示画像として、記録画像の中の所望の画像を設定しておき、
前記カメラの特定動作時に、特定時表示画像として設定されている記録画像を前記メモリから取り出して再生することを特徴とする画像再生方法。
【請求項２】
複数の撮影画像を記録するメモリと、再生した記録画像を表示する表示部を備えたカメラにおいて、
撮像した画像を前記メモリに記録する際に、該札得手画像を前記カメラの起動から起動終了に至る動作のうちの特定動作時に表示する特定時表示画像として設定しておき、
前記カメラの特定動作時に、特定時表示画像として設定されている撮影画像を前記メモリから取り出して再生することを特徴とする画像再生方法。
【請求項３】
前記特定動作は、前記カメラの起動、動作終了、選択メニュー表示、警告表示、または前記カメラのメニュー表示や特定機能実行中に行なわれるユーザの特定操作を含み、
上記特定時表示画像は、上記各特定動作に対応して表示する画像として、オープニング画像、エンディング画像、メニュー背景画像、警告画像、または説明画像を含む、ことを特徴とする請求項１または２記載の画像再生方法。
【請求項４】
複数の撮影画像を記録するメモリと、再生した記録画像を表示する表示部を備えたカメラにおいて、
再生された記録画像の中から特定時表示画像候補を選択する選択手段と、
上記特定時表示画像候補に前記カメラの起動から起動終了に至る動作のうちの特定のタイミングを意味する特定時表示情報を対応させて特定時表示画像とする表示指定手段と、
前記カメラの特定動作時に、特定時表示情報を調べて、前記メモリの記録画像のうちから対応する特定時表示画像を取り出して再生する特定時表示情報再生手段を有することを特徴とするカメラ。
【請求項５】
複数の撮影画像を記録するメモリと、再生した記録画像を表示する表示部を備えたカメラにおいて、
撮像した画像を前記メモリに記録する際に、所望の撮像について前記カメラの起動から起動終了に至る動作のうちの特定動作時に表示する特定時表示画像として特定時表示情報を対応させる表示指定手段と、
前記カメラの特定動作時に、特定時表示情報を調べて、前記メモリの記録画像のうちから対応する特定時表示画像を取り出して再生する特定時表示情報再生手段を有することを特徴とするカメラ。
【発明の詳細な説明】
【０００１】
【発明の属する技術分野】
本発明は、デジタルカメラ等のカメラ装置に記録した画像の再生方法に関し、特に、カメラ装置の起動や動作終了等カメラ装置の動作の特定のタイミングに表示する画像（以下、特定時表示画像）の再生技術に関する。
【０００２】
【従来の技術】
デジタルカメラ等のカメラ装置で、装置の起動時（電源投入時）などにオープニング（ｏｐｅｎｉｎｇ）画面を表示するものがあるが、現状ではこのようなオープニング画面はメーカが提供している。また、オープニング画面だけでなく、エンディング（ｅｎｄｉｎｇ）画面やメニュー表示中の背景（ｂａｃｋｇｒｏｕｎｄ）画面、或いは警告表示画面についても同様にメーカによって設定された画面が表示されている。
【０００３】
【発明が解決しようとする課題】
上述したようにオープニング画面等は、従来、メーカ側で出荷時までに整えて提供されており、装置の起動時や，終了時，メニュー表示時，警告時等の特定のタイミングにそれぞれメーカによって設定された画面が表示され、ユーザの所望の画像を上述のような特定時表示用画面として設定／表示できるようにはなっていない。したがって、ユーザの所望の画像を特定のタイミングに表示できず、ユーザにとっては所有しているカメラの独自性を発揮する機会が乏しいという不都合があった。
すなわち、デジタルカメラの機種／型式が同じ場合に他人のデジタルカメラと自分のカメラを差別化する手段の一つとして、オープニングやエンディングに表示される画像（例えば、紋章、顔、旗、ある種の合成画像等）が独自性を持っていれば自分のカメラのユーニーク度を示すことができ、各ユーザが自己のデジタルカメラのオープニング画像等の独自性に工夫を凝らすことも可能となってデジタルカメラ等の利用の拡大が期待できる。
【０００４】
本発明は、上記課題を解決するためになされたものであり、所望の記録画像や撮影像をオープニング画像等の特定時表示画像として表示する画像再生方法およびカメラ装置の提供を目的とする。
【０００５】
【課題を解決するための手段】
上記の課題を解決するために、第１の発明の画像再生方法は、撮像部で撮像された撮影画像を複数記録するメモリと、再生した記録画像を表示する表示部を備えたカメラにおいて、カメラの起動から起動終了に至る動作のうちの特定動作時に表示する特定時表示画像として、記録画像の中の所望の画像を設定しておき、カメラの特定動作時に、特定時表示画像として設定されている記録画像をメモリから取り出して再生することを特徴とする。
【０００６】
また、第２の発明の画像再生方法は、複数の撮影画像を記録するメモリと、再生した記録画像を表示する表示部を備えたカメラにおいて、撮像した画像をメモリに記録する際に、該撮影画像を前記カメラの起動から起動終了に至る動作のうちの特定動作時に表示する特定時表示画像として設定しておき、カメラの特定動作時に、対応する特定時表示画像をメモリから取り出して再生することを特徴とする。
【０００７】
また、第３の発明は上記第１または第２の発明の画像再生方法において、特定動作は、カメラの起動、動作終了、選択メニュー表示、警告表示、または前記カメラのメニュー表示や特定機能実行中に行なわれるユーザの特定操作を含み、特定時表示画像は、上記各特定動作に対応して表示する画像として、オープニング画像、エンディング画像、メニュー背景画像、警告画像、または説明画像を含む、ことを特徴とする。
【０００８】
また、第４の発明のカメラは、複数の撮影画像を記録するメモリと、再生した記録画像を表示する表示部を備えたカメラにおいて、再生された記録画像の中から特定時表示画像候補を選択する選択手段と、特定時表示画像候補にカメラの起動から起動終了に至る動作のうちの特定のタイミングを意味する特定時表示情報を対応させて特定時表示画像とする表示指定手段と、カメラの特定動作時に、特定時表示情報を調べて、記録画像のうちから対応する特定時表示画像を取り出して再生する特定時表示情報再生手段を有することを特徴とする。
【０００９】
また、第５の発明のカメラは、複数の撮影画像を記録するメモリと、再生した記録画像を表示する表示部を備えたカメラにおいて、撮像した画像をメモリに記録する際に、所望の撮像について、カメラの起動から起動終了に至る動作のうちの特定動作時に表示する特定時表示画像として特定時表示情報を対応させる表示指定手段と、カメラの特定動作時に、特定時表示情報を調べて、メモリの記録画像のうちから対応する特定時表示画像を取り出して再生する特定時表示情報再生手段を有することを特徴とする。
【００１０】
【発明の実施の形態】
＜回路構成例＞
図１は、本発明を適用したデジタルカメラの回路構成例を示すブロック図であり、デジタルカメラ１００は、撮像部１、画像処理部２、プログラム格納用メモリ３、作業用メモリ４、画像記録用メモリ５、操作部６、表示部７および通信回路部８を備えている。
【００１１】
撮像部１は撮像レンズやストロボ発光部の他、自動絞り機構やオートフォーカス機構を含む光学系と、撮像レンズを経た被写体光像を電気信号に変換するＣＣＤ等の撮像素子と、ＣＣＤ駆動回路およびＣＣＤ駆動回路に駆動信号を与えるタイミングジェネレータおよびＣＣＤの出力信号をデジタル信号に変換するＡ／Ｄコンバータを含む信号変換部を有している。
【００１２】
また、画像処理部２は、ＣＰＵ、画像データ伸張／圧縮モジュール、ビデオエンコーダ、カラープロセッサインターフェイス、通信インターフェイス、表示制御用インターフェイス等の回路で構成され、ＣＰＵによって動作制御されてデジタルカメラ１００の主要な動作、例えば、画像の取込み、スルー画像の表示、撮像処理、画像データの圧縮、圧縮データの記録、撮影画像の表示、再生（圧縮画像データの取り出し、圧縮画像データの伸張および表示）等の動作を実行する。
【００１３】
また、画像処理部２は、ＣＰＵの制御によりデジタルカメラのオープニングやエンディング或いはメニュー表示時等、デジタルカメラの動作の特定のタイミングに表示する特定時表示画像のユーザによる設定登録や、デジタルカメラの動作の特定のタイミングに応じて登録設定された特定時表示画像の表示を行なう。
【００１４】
プログラム格納用メモリ３はＲＯＭ等の不揮発性メモリからなり、デジタルカメラ１００全体の制御を行なう制御プログラムや、デジタルカメラ１００が備えている各種機能（以下、処理モード）を実現する処理モード実行用プログラムの他、オープニング画像，表示メニューの背景画像，警告画像、エンディング画像等を登録する特定画像登録プログラムやそれらの画像をそれぞれ所定の時機に表示する特定画像表示プログラム等を格納しており、これらプログラムのうち制御用プログラムはデジタルカメラ１００の起動時に読み出されて作業用メモリ４に記憶される。
また、データ管理を画像データについて行なうようにした場合には、プログラム格納用メモリ３には上述のプログラム群に加えて画像管理プログラムが格納される。
【００１５】
作業用メモリ４はＤＲＡＭ等の揮発性メモリからなりプログラム格納メモリから読み出された制御プログラムの記憶および選択された処理モード実行用プログラムや特定画面表示プログラムの一時（実行時）記憶領域や実行用作業領域として、また、それらプログラムで用いられる変数や値の一時記憶領域として、さらに撮像部１から取込まれた画像データの一時記憶領域として用いられる。
【００１６】
画像記録用メモリ５はフラッシュメモリ或いはメモリカード等の記録媒体からなり、圧縮処理された撮影画像データや撮影画像よりサイズや記録密度の小さな簡易画像（サムネイル画像）データが記録される。また、画像データの画像管理を行なうようにした場合には画像データに加えて画像データをファイル単位に管理する画像ファイルファイル管理リスト領域が確保される。
【００１７】
操作部６はデジタルカメラ１００の操作入力手段であり、メインスイッチ、ＲＥＣモード／再生モード切換えスイッチ、機能選択用ボタン（複数個）、シャッターボタン等のスイッチやボタンを構成部分とし、これらのスイッチ或いはボタンが操作されると状態信号が画像処理部２に送出される。なお、操作入力手段の一つとして操作部６に入力ペンを備えるようにして、タッチ入力可能としてもよい。
【００１８】
表示部７は液晶ディスプレイ（ＬＣＤ）装置等の表示装置から構成されており、起動時にはオープニング画面が表示され、ＲＥＣモード時には被写体画像（スルー画像）が表示され、再生モード時には再生画像を表示できる。また、処理モードの開始時に処理の選択メニューを表示でき、終了時にはエンディング画面が表示される。表示部７の画面上に感圧素子等を配列した透明な板からなるタッチパネルを設けて、指や入力ペン等でアイコン等のタッチ入力による指定が可能なようにしてもよい。
【００１９】
通信回路部８は通信回線を介して外部装置とコマンドやデータの授受を行なうための通信処理用回路からなっている。
【００２０】
＜デジタルカメラの基本的動作＞
図２はデジタルカメラ１００の基本的動作を示すフローチャートである。
［起動］
図１で、使用者によってメインスイッチがオンとされるとデジタルカメラ１００が起動され、制御プログラムがプログラム格納用メモリ３から作業用メモリ４に記憶される（Ｓ０）。
［オープニング画像表示］
次に、制御プログラムによって特定画像表示プログラムが読み出されて図９に示すようなオープニング画面９０が表示される（Ｓ１）。
［ＲＥＣ／再生モード選択］
オープニング画像表示後、使用者がＲＥＣモード／再生モード切換えスイッチをＲＥＣ（撮像）モードに切替えるとＳ３に遷移してＳ３〜Ｓ６の動作を実行する。また、使用者がＲＥＣモード／再生モード切換えスイッチを再生モードに切替えるとＳ８に遷移してＳ８〜Ｓ１１の動作を実行する（Ｓ２）。
［撮影準備動作］
処理モードがＲＥＣモードに切替えられると、ＲＥＣモード処理プログラムがプログラム格納用メモリ３から読み出されて作業用メモリ４に一時記憶され、撮像可能状態となる（Ｓ３）。
［スルー画像表示］
ユーザがデジタルカメラ１００を向けた視野内の像（被写体像）が撮像部１を介して画像処理部２で画像処理されて画像データとして作業用メモリ４に取込まれると共に、表示部７に動画表示（以下、スルー画像表示）される（Ｓ４）。
【００２１】
［撮影処理モード選択／メニュー表示等］
使用者が操作部６のボタン等を操作して所望の処理（例えば、連写モード）を選択すると選択された処理プログラムがプログラム格納用メモリ３から読み出されて作業用メモリ４に一時記憶され、所望の処理が実行可能となる。この場合、特定画像表示プログラムにより特定の機能ボタン（例えば、機能選択説明用ボタン）を押すとアイコン或いはメニューとその説明を表示するようにしてもよい（Ｓ５）。
【００２２】
［撮像］
使用者が所望のアングルでシャッターボタンを押すと、被写体像が撮像部１を介して画像処理部２で画像処理されて画像データとして作業用メモリ４に取込まれると共に、取込まれた画像データが画像処理部２で圧縮処理され、圧縮された画像データが画像記録用メモリ５に記録される。また、記録された画像が表示部７に静止画表示される。また、画像管理プログラムによる画像管理を行なうようにした場合には、画像記録用メモリ５に確保されている画像ファイル管理リスト（図４）に記録画像の識別情報（タグ情報、画像格納番地等）が登録される（Ｓ６）。
【００２３】
［エンディング画像表示］
使用者が撮影続行ボタン（機能選択ボタンの一つ）を押すとＳ３に戻り、ＲＥＣモード／再生モード切換えスイッチを再生モードに切替えるとＳ８に移行し、終了ボタンを押すと特定画像表示プログラムによりエンデイング画像を所定時間表示した後、処理を終了する。この場合、特定の機能ボタン（例えば、機能選択説明用ボタン）を押すとアイコン或いはメニューとその説明を表示するようにしてもよい（Ｓ７）。
【００２４】
［画像再生準備］
処理モードが再生モードに切替えられると、再生モード処理プログラムがプログラム格納用メモリ３から読み出されて作業用メモリ４に一時記憶され、画像再生可能状態となる（Ｓ８）。
【００２５】
［再生画像表示］
先ず、最も最近に撮影した画像の圧縮画像データが画像記録用メモリ５から読み出されて作業用メモリ４に一時記憶され、画像処理部２で伸張処理されて１フレーム分の画像データとして作業用メモリ４に一時記憶され、さらに画像処理部２で処理されて表示部７に表示される（Ｓ９）。
【００２６】
［再生処理モード選択／メニュー表示等］
次に、使用者が操作部６のボタン等を操作して所望の処理（例えば、画像検索モードや画像送信モード）を選択すると選択された処理プログラムがプログラム格納用メモリ３から読み出されて作業用メモリ４に一時記憶され、所望の処理が実行可能となる。この場合、特定画像表示プログラムにより特定の機能ボタン（例えば、機能選択説明用ボタン）を押すと再生画像の説明画像を表示するようにしてもよい（Ｓ１０）。
【００２７】
「再生処理モードの実行」
画像記録用メモリ５から画像データを順次読み出して伸張処理し、画像を再生して表示し、選択された再生処理モードを実行する。例えば、選択された処理が画像検索処理であれば、画像の早送り等を行なって所望の画像を検索可能とし、画像送信モードであれば通信回路部９を介して外部装置に画像データを送信する。なお、画像管理プログラムによる画像管理を行なう場合には画像記録用メモリからの画像の読み出しは画像の記録順ではなく画像ファイル管理リストの論理番号順に行なうことができる（Ｓ１１）。
【００２８】
［エンディング画像表示］
使用者が再生処理続行ボタンを押すとＳ９に戻り、ＲＥＣモード／再生モード切換えスイッチをＲＥＣモードに切替えるとＳ３に戻り、終了ボタンを押すと特定画像表示プログラムによりエンデイング画像を所定時間表示した後、電源をオフにして処理を終了する（Ｓ１２）。
【００２９】
上記ステップＳ７或いはＳ１１で処理を終了する場合にステップＳ１２で同一のエンディング画像を表示するようにしたが、ＲＥＣモードの終り（ステップＳ７）と再生モードの終り（ステップＳ１１）で別のエンディング画像を表示するようにしてもよい。
【００３０】
＜特定時表示画像＞
オープニング画像やエンディング画像、およびメニュー用背景画像や機能説明画像等の特定時に表示する画像（以下、特定時表示画像）は、本実施例ではメーカによって予め登録されている特定時表示画像の他にユーザの所望する画像を追加できるようにし、表示時にはユーザの登録した特定時表示画像の表示を優先し、ユーザ登録の特定時表示画像がない場合にメーカ登録画像を表示するようにしているが（図８）、メーカ登録画像なしでもよく、メーカ登録画像をユーザ登録画像で置換するようにしてもよく、また、複数のユーザ登録画像を特定時表示画像として登録し、その中から表示する画像を選択できるようにしてもよい。
【００３１】
また、ユーザが登録する特定時表示画像はデジタルカメラ１００に記録されている画像の中から選択した画像でもよく、所望の被写体を撮像して登録するようにしてもよく、また、記録画像或いは撮影画像を加工（複数の画像合成、縮小、カット）した画像でもよい。
【００３２】
また、選択画像が連続画像のなかの１枚の画像であった場合には特定時表示画像としてその連続画像の全部を登録し、表示指定された時点に特定時表示画像として登録された連続画像を表示するようにしてもよい。
【００３３】
また、選択画像がパノラマ画像の一部であった場合には特定時表示画像としてそのパノラマ画像全体を登録し、表示指定された時点に特定時表示画像として登録されたパノラマ画像を表示するようにしてもよい。
【００３４】
また、特定時表示画像として説明画像を登録した場合には画像再生モードで所望の画像が再生されているとき、画像説明用ボタンを押すとその画像の説明画像（例えば、表示画像が車なら、そのメーカ、年式、オプション、価格等、動物なら、分類、名称、生息地、雌雄の別、撮影地、保護動物か否かの別、性質等）が表示されるようにしてもよい。また、特定時表示画像のうちメニュー表示画像や説明画像については現在表示されている画像の片面や四隅に合成表示するようにしてもよい。
【００３５】
［特定時表示画像の登録管理］
図４は画像ファイル管理リストの一実施例を示し、画像ファイル管理リスト５０は特定時表示画像の表示タイミングを指定する表示指定値を格納する表示指定欄５１１と記録画像の画像番号を格納する画像番号欄５１２からなるタグ情報欄５１と、画像格納番地を格納する画像格納位置欄５２と、画像のサイズ（コード）を格納する画像サイズ欄５３と、説明画像を指定する場合に説明対象の画像の画像番号を格納する説明画像番号欄５４等、特定表示画像の管理に必要な情報を各画像毎に格納している。
【００３６】
また、図５は画像記録メモリ５に記録された各画像データとタグ情報の関係を示す説明図であり、オープニング画像を例として説明する。
記録画像６０はこの例では１対１にタグ情報５１が対応し、各タグ情報は画像再生時のページ情報として図４に示したような画像ファイル管理リスト（５０）に登録され、画像管理プログラムによって管理されている。なお、本実施例ではタグ情報を２バイト長のデータとしているがタグ情報５１のデータ長は２バイトに限定されない。なお、図５の例では記録画像のタグ情報５１は００××（××は画像の記録順序を示し０１〜ＦＦの値をとる）で示され、メーカ登録のオープニング画像のタグ情報は１Ｆ××で示され、ユーザ登録のオープニング画像のタグ情報は０Ｆ××で示され、エンディング画像は１Ｄ××（メーカ登録）または０Ｄ××（ユーザ登録）で示されている。また、表示時機の特定されない画像（＝通常の記録画像）のタグ情報を００××で示す。本実施例ではこのようにタグ情報の上位バイト、すなわち、表示指定欄５１１の内容の画像を表示する時機によってコード付して各表示時機と対応づけている。
【００３７】
なお、デジタルカメラ１００の通信回路部８を介して、パソコン等の外部装置を用いて作成したタグ情報等を画像ファイル管理リスト５０に登録できるようにすることもできる。
【００３８】
［特定時表示画像の登録処理動作］
Ａ：記録画像の登録
図３はユーザによる特定時表示画像の登録処理の一実施例を示すフローチャートであり、画像記録用メモリ５に登録された画像のうち所望の画像を特定時表示画像として登録する場合の動作例である。
図３（ａ）で、再生モードで特定画像登録処理が選択されると制御プログラムによって特定画像登録プログラムが読み出され、登録画像を選択するために前述した再生手順（記録画像データの読み込み、圧縮データの伸張、早送り表示処理等）を実行して画像を順次表示部７に表示する（Ｔ１）。
【００３９】
上記ステップＴ１で表示される画像のうち特定時機表示画像として登録したい画像があった場合には、デジタルカメラの特定のボタン（本実施例では２段押し構造のシャッターボタン）を１段押すとその画像が特定時機表示画像として選択され表示部７の画面に表示される。また、同時に、画像の片側に図６に示すように表示指定（特定表示時機をいう、本実施例では起動時（電源オン時）、終了時（電源オフ時）、メニュー表示時、説明画像としての表示）メニューが表示される（Ｔ２）。
【００４０】
ここで表示時機（例えば、起動時）を指定すると（Ｔ３）、画像ファイル管理リスト５０の表示指定欄５１１をサーチし、既に指定表示時機がユーザによって登録されている画像があるか否かを調べる（例えば、画像表示時機として起動時を指定した場合には、表示指定欄５１１の内容が起動時に表示されるユーザ登録のオープニング画像を意味する「０Ｆ」か否かを調べる）（Ｔ４）。
【００４１】
上記ステップＴ４で表示指定されている画像がある場合には、登録されている表示指定を無効とするためにそのタグ情報の上位１バイト、すなわち表示指定欄５１１の内容を「００」としてＴ６に遷移し、表示指定されている画像（＝登録画像）がない場合にはそのままＴ６に遷移する。例えば、図５（ｃ）に示すように２番目の記録画像（タグ情報＝０００１）をオープニング画像として指定したとき、既に３番目の画像がユーザ登録のオープニング画像（タグ情報＝０Ｆ０２）として登録されていた場合には、（ｄ）に示すように３番目の画像のタグ情報の上位１バイト（＝表示指定欄５１１）を「００」としオープニング画像としての表示指定の登録を取消してＴ６に遷移する（Ｔ５）。
【００４２】
上記ステップＴ５から遷移があると、表示指定された記録画像のタグ情報の上位１バイトを「０Ｆ」に変更して当該記録画像をオープニング画像として設定し、登録処理を終了する。例えば、図５（ａ）に示すように３番目の記録画像（タグ情報＝００００）をオープニング画像として指定すると、（ｂ）に示すようにそのタグ情報の上位１バイトが「０Ｆ」に変更されてオープニング画像（タグ情報＝０Ｆ０２）とされる（Ｔ５）。また、図５（ｃ）に示すように２番目の記録画像（タグ情報＝０００１）をオープニング画像として指定したときは、２番目の画像のタグ情報の上位１バイトを「０Ｆ」に変更してオープニング画像（タグ情報＝０Ｆ０１）とする。なお、本実施例ではメーカ登録のタグ情報を禁止している（Ｔ６）。
【００４３】
上記のステップＴ３の表示指定を行なうことにより、オープニング画面に表示するオープニング画像の登録や、エンディング画面やメニュー画面、警告画面および説明画面等に表示するエンディング画像，メニュー用背景画像，警告画像および機能説明画像や再生画像用の説明画像等を登録できる。なお、上記Ｔ１の画像選択とＴ３の表示指定のステップの順序を入替えて表示時期の指定を行なった後で画像を選択するようにしてもよい。
【００４４】
図６は、図３のステップＴ２でユーザが選択する画像表示時機の選択画面の一実施例を示す図であり、ユーザが特定時表示画像として選択した汽船の再生画像７１の右片面に画像表示時機を列記したメニューが示されている。ユーザがメニューを指定して表示時機を指定すると、その表示時機に選択画像（この場合には汽船７１）が表示される。
【００４５】
なお、図６で表示時機「・画像表示中」は、説明画像の表示タイミングを示し、ある画像の表示中に説明画像表示ボタンが操作されたとき、その画像の説明画像としてその登録画像を表示することを意味する。
すなわち、図３（ｂ）のステップＴ３で選択画像の一部に表示された表示時機選択メニュー（図６）のうち「・画像表示中」が選択されると説明画像登録が選択されたものとしてＴ３−２に遷移し、「・画像表示中」が選択されなかった場合にはＴ４に遷移する（Ｔ３−１）。
メニュー「・画像表示中」が選択されると記録画像のうち表示指定＝「００」の記録画像を早送り表示して、ユーザに説明の対象とする画像の選択を促すのでユーザは画像の選択をする（Ｔ３−２）。
【００４６】
説明の対象とする画像が選択されるとその画像の画像番号を画像管理ファイル５０の説明画像番号欄５４に格納しＴ３に遷移する（Ｔ３−３）。
以上の動作により機能説明用や再生画像の説明用の説明画像が登録されると、説明画像番号欄５４に表示した画像番号の画像を再生した場合に、説明画像表示用ボタンを押すとステップＴ６で登録された説明画像が表示される。
【００４７】
Ｂ：撮像時の登録処理動作
また、本発明の特定時表示画像の登録処理では画像記録用メモリ５に記録されている画像ばかりでなく、撮影時に取込んだ画像のうち所望の画像を特定時表示画像として登録することもできる。
図７はユーザによる特定時表示画像の登録処理の一実施例を示すフローチャートであり、撮像時に特定時表示画像として登録する場合の動作例である。
図７で、再生モードで特定画像登録処理が選択されると制御プログラムによって特定画像登録プログラムが読み出され、画像片面に表示時機を指定（選択）するための表示指定メニュー（図示せず）が表示されるのでユーザは所望の表示時機を選択する（Ｕ１）。
【００４８】
次に、画像ファイル管理リスト５０の表示指定欄５１１をサーチして既に指定表示時機が登録されている画像があるか否かを調べ表示指定されている画像（＝登録画像）がない場合にはそのままＵ４に遷移し（Ｕ２）、指定表示時機が登録されている画像があった場合には、登録されている表示指定を無効とするためにそのタグ情報の上位１バイト、すなわち表示指定欄５１１の内容を「００」としてＵ４に遷移する（Ｕ３）。
【００４９】
次に、撮像部１を介して取込まれた被写体画像データが画像処理部２で処理されて表示部７にスルー画像表示される（Ｕ４）。
ボタンを押すまで上記ステップＵ４を繰り返し、ユーザがシャッターボタンを押すと、撮像処理が行なわれる。すなわち、その時点の被写体像が表示画像データとして取込まれ、画像処理部２で圧縮処理されて画像記録用メモリ５に書込まれる（Ｕ５）。
【００５０】
また、同時に画像ファイル管理リスト５０の表示指定欄５１１に表示時機を意味する表示指定コードを、画像番号欄５１２にその画像の画像番号を、サイズ欄５２に画像サイズを書込み、特定表示画像の登録画像処理を終了する。
【００５１】
上記のステップＵ１の表示指定を行なうことにより、オープニング画面に表示するオープニング画像の登録や、エンディング画面やメニュー画面、警告画面および説明画面等に表示するエンディング画像，メニュー用背景画像，警告画像および機能説明画像や画像説明の画像等を登録できる。
【００５２】
なお、上記ステップＵ１で表示時機として「画像の表示中」が指定された場合には、登録画像が説明画像であるものとして、説明対象の画像番号が書込まれる（図７（ｂ））（Ｕ６）。
すなわち、図７（ｂ）のステップＵ１で画面に表示された表示時機選択メニューのうち「・画像表示中」が選択されると説明画像登録が選択されたものとしてＵ１−２に遷移し、「・画像表示中」が選択されなかった場合にはＵ２に遷移する（Ｕ１−１）。
【００５３】
メニュー「・画像表示中」が選択されると記録画像のうち表示指定＝「００」の記録画像を早送り表示して、ユーザに説明の対象とする画像の選択を促すのでユーザは画像の選択をする（Ｕ１−２）。
説明の対象とする画像が選択されるとその画像の画像番号を画像管理ファイル５０の説明画像番号欄５４に格納しＴ２に遷移する（Ｕ１−３）。
以上の動作により説明画像が登録されると、説明画像番号欄５４に表示した画像番号の画像を再生した場合に、説明画像表示用ボタンを押すとステップＵ６で登録された説明画像が表示される。
【００５４】
［特定時表示画像の表示動作］
図８は、特定時表示画像の表示動作（オープニング画像表示）の一実施例を示すフローチャートであり、図９はユーザ登録のオープニング画像の一実施例を示す図である。
【００５５】
図８で、デジタルカメラ１００が起動されると、制御プログラムがプログラム格納用メモリ３から作業用メモリ４に記憶され、制御プログラムによって特定画像表示プログラムが読み出される（Ｖ０）。
【００５６】
画像ファイル管理リスト５０の表示指定欄５１１をサーチし、ユーザ登録のオープニング画像があるか否かを調べる（Ｖ１）。
【００５７】
上記ステップＶ１でユーザ登録のオープニング画像がある場合にはその画像の格納番地を画像ファイル管理リスト５０の画像格納番地欄５２から取り出して該当の画像データ（ユーザ登録オープニング画像）を取り出して再生し、表示部７に一定時間表示し、一定時間が過ぎるとオープニング画像表示を終了する（図９）（Ｖ２）。
【００５８】
また、上記ステップＶ１でユーザ登録のオープニング画像がない場合には更に画像ファイル管理リスト５０の表示指定欄５１１をサーチし、メーカ登録のオープニング画像の格納番地を画像格納番地欄５２から取り出してその画像データ（メーカ登録オープニング画像）を取り出して再生し、表示部７に一定時間表示し、一定時間が過ぎるとオープニング画像表示を終了する（Ｖ３）。
【００５９】
上記動作により起動時にオープニング画像を表示することができる。
例えば、ＲＥＣモード或いは再生モード処理を終了し、ユーザが全処理終了の確認ボタン（「終了ボタン」等）を押した場合に、画像ファイル管理リスト５０の表示指定欄５１１をサーチし、ユーザ登録のエンディング画像があるか否かを調べるようにすることにより、図８と同様の動作でエンディング画像の表示をすることができる。さらに、処理モード選択メニューについても選択メニュー表示時を検出して対応する登録画像（メニュー画像）を表示することができる。
【００６０】
図１０は特定時表示画像の表示動作（説明画面表示）の一実施例を示すフローチャートであり、図１１は再生画像とその説明画像の表示例を示す図である。
【００６１】
図１０で、ある再生画像の表示中に（Ｗ０）、ユーザが説明画像表示用ボタンを押すと、制御プログラムがプログラム格納用メモリ３から作業用メモリ４に記憶され、制御プログラムによって特定画像表示プログラムが読み出される（Ｗ１）。
【００６２】
その再生画像の画像番号をキーとして画像ファイル管理リスト５０の説明画像番号欄５４をサーチし、その再生画像の説明画像があるか否かを調べる（Ｗ２）。
【００６３】
上記ステップＷ１で説明画像がある場合にはその画像の格納番地を画像ファイル管理リスト５０の画像格納番地欄５２から取り出して該当の説明画像データ（ユーザ登録の説明画像データ）を取り出して再生し、表示部７に表示する（Ｗ３）。この場合、ユーザが再び説明画像表示用ボタンを押すまで説明画像の表示を行ない、説明画像表示用ボタンを押すと元の再生画像を表示する（Ｗ４）。
【００６４】
上記ステップＷ１で説明画像がない場合にはその旨のメッセージを再生画像の表示された画面の一部に表示する。なお、このメッセージ表示は一定時間を過ぎると消去される（Ｗ５）。
【００６５】
上記ステップＷ３ではユーザが説明画像表示用ボタンを押すと説明画像を画面一杯に表示するようにしたが、ユーザが説明画像表示用ボタンを押すと再生画像と共に説明画像を表示するようにしてもよい（例えば、再生画像の右上１／４に説明画像を合成表示するようにしてもよい）。
また、説明画像は複数枚でもよく、この場合説明画像毎に画面を変えるようにしてもよいし、枚数に応じてサイズを変えて再生と共に表示（合成表示）するようにしてもよい。
【００６６】
また、説明画像に階層を設けてある説明画像に更にその説明画像の説明画像を従属させるようにしてもよく、この場合も、ユーザが説明画像表示用ボタンを押すたびに説明画面を切替えるようにしてもよく、再生画像、一次説明画像、２次説明画像、・・（一次説明画像＞２次説明画像＞・・＞・・）を合成して１画面上に表示するようにしてもよい。
【００６７】
図１１で、（ａ）は再生画像（幼児の画像１１０）の一例であり、（ｂ）は（ａ）の再生画像の表示中に説明画面表示用ボタンが押された場合に表示される説明画像の一例である。なお、説明画像はこの例では幼児の両親の画像１１１のみであるが、年齢や名前、続柄等の文字やメッセージ等を含む画像として登録しておき、表示するようにできる。
【００６８】
また、説明画像の例として、デジタルカメラの特定機能についての説明文を特定機能に対応させて登録しておき、特定処理選択画面が表示されている間（特定機能を実行中）に説明画像表示用ボタンを押して特定処理の説明や操作方法を記した画像（機能説明画像）を表示することもできる。
【００６９】
上記各実施例ではタグ情報と記録画像を画像ファイル管理リストを介して対応付け、タグ情報の上位１バイトを表示指定コードとして記録画像が登録画像であるか否かの別の識別と、記録画像が登録画像の場合にはその種類を識別可能にしたが、画像ファイル管理リストを設けることなくタグ情報と記録画像（および登録画像）を対応づけるようにしてもよく、また、記録画像にタグ情報を付加するようにしてもよい。
【００７０】
また、画像ファイルの管理を良く知られたＤＯＳ（Ｄｉｓｃ　ｏｐｅｒａｔｉｎｇ　ｓｙｓｔｅｍ）管理形式で行なうようにして、ファイル名を固有にすることにより記録画像が登録画像であるか否かの別の識別と、記録画像が登録画像の場合にはその種類を識別可能にすることもできる。
【００７１】
すなわち、ある画像の記録時に固有のファイル名ＹＡＭＡ９８を与えると、画像管理プログラムがファイル名に画像の識別子ＸＸを付加した画像ＩＤ「ＹＡＭＡ９８．ＸＸ」およびデータサイズ等の管理情報をディレクトリに登録して、この登録情報を基に画像の管理を行なうようにしても記録画像が登録画像であるか否かの別の識別と、記録画像が登録画像の場合にはその種類を識別可能にすることができる。例えば、通常の記録画像の識別子をａａとすれば、画像ＹＡＭＡ９８の画像ＩＤは「ＹＡＭＡ９８．ａａ」となり、メーカ登録オープニング画像の識別子をｂ１とすれば、画像ＹＡＭＡ９８の画像ＩＤは「ＹＡＭＡ９８．ｂ１」となり、ユーザ登録オープニング画像の識別子をｂ０とすれば、画像ＹＡＭＡ９８の画像ＩＤは「ＹＡＭＡ９８．ｂ０」となるので、登録画像であるか否かの別と、記録画像が登録画像の場合にはその種類を識別できる。エンディング画像やその他の特定時表示画像にも固有の識別子を付加することにより同様に管理できる。
【００７２】
以上本発明の一実施例について説明したが、本発明は上記実施例に限定されるものではなく、種々の変形実施が可能であることはいうまでもない。
【００７３】
【発明の効果】
以上説明したように、第１の発明の画像再生方法および第４の発明のカメラによればカメラの記録画像のうちから、ユーザの所望の画像をカメラの特定動作時に表示する特定時表示画像として設定（登録）しておき、カメラの動作中の特定のタイミング（時機）に対応する特定時表示画像を表示できる（例えば、起動時にユーザの登録したオープニング画像を表示したり、動作終了時にユーザの登録したエンディング画像表示できる）ので個々のカメラに独自性（ユニーク性）を持たすことができる。
【００７４】
また、第２の発明の画像再生方法および第５の発明のカメラによれば所望の画像を特定時表示画像として設定（登録）しておき、カメラの動作中の特定のタイミング（時機）に対応する特定時表示画像を表示できるので、撮像時に予め特定時表示用の被写体を構成しておく等の工夫が出来る。従って、個々のカメラにユーザによる創意を加えた画面を表示することができ、より独自性（ユニーク性）を持ったカメラとすることができる（例えば、自分の顔写真を貼付し、氏名を描いた紙を被写体として撮像してオープニング画像として登録しておけば、カメラの所有者が判然とし、他者との混同がなくなる等）。
【００７５】
また、第３の発明の画像再生方法では特定動作として、カメラの起動、動作終了、選択メニュー表示、警告表示の他に、または前記カメラのメニュー表示や特定機能実行中に行なわれるユーザの特定操作を含むので、オープニング画像やエンディング画像、メニュー背景画像、警告画像の他に、表示されているメニューの機能が分からない場合にユーザがメモした機能説明画面を表示したり、再生画像についてユーザのコメントや詳細な部分画像や関連画像等からなる説明画像を表示したりすることもできる。
【図面の簡単な説明】
【図１】本発明を適用したデジタルカメラの回路構成例を示すブロック図である。
【図２】デジタルカメラの基本的動作を示すフローチャートである。
【図３】ユーザによる特定時表示画像の登録処理の一実施例を示すフローチャートである。
【図４】画像ファイル管理リストの一実施例を示す図である。
【図５】画像記録メモリに記録された各画像データとタグ情報の関係を示す説明図である。
【図６】ユーザが選択する画像表示時機の選択画面の一実施例を示す図である。
【図７】ユーザによる特定時表示画像の登録処理の一実施例を示すフローチャートである。
【図８】特定時表示画像の表示動作の一実施例を示すフローチャートである。
【図９】オープニング画像の一実施例を示す図である。
【図１０】特定時表示画像の表示動作（説明画面表示）の一実施例を示すフローチャートである。
【図１１】再生画像および説明画像の表示例を示す図である。
【符号の説明】
５　画像記録用メモリ（メモリ）
７　表示部
５０　画像管理リスト
５１　タグ情報（特定時表示情報）
５４　説明画像番号（特定時表示情報）
１００　デジタルカメラ（カメラ）
【図１】
2004032801.tif 000003
【図２】
2004032801.tif 000004
【図３】
2004032801.tif 000005
【図４】
2004032801.tif 000006
【図５】
2004032801.tif 000007
【図６】
2004032801.tif 000008
【図７】
2004032801.tif 000009
【図８】
2004032801.tif 000010
【図９】
2004032801.tif 000011
【図１０】
2004032801.tif 000012
【図１１】
2004032801.tif 000013